(57)【要約】【課題】利用者が車両を駐めた場所を容易に把握でき、迷うことなく、その場所に戻ることのできるエレベータの駐車案内システムを提供する。【解決手段】駐車施設内で発券される駐車券に車両の駐車位置を記録しておく。エレベータの乗場に設置された乗場表示装置１７の情報読取り部２３に駐車券を近づけると、その駐車券に記録された情報が読み取られ、この駐車券情報に含まれる駐車位置が音声出力部２４を通じて乗場で待機する利用者に案内される。これにより、利用者が車両を駐めた場所を容易に把握でき、迷うことなく、その場所に戻ることができる。【選択図】      図２
2007084190.tif 000002
【特許請求の範囲】
【請求項１】
駐車施設に設けられたエレベータの駐車案内システムであって、
上記駐車施設内で発券される駐車券に車両の駐車位置を記録する記録手段と、
エレベータの乗場にて上記駐車券に記録された情報を読み取る情報読取り手段と、
この情報読取り手段によって読み取られた駐車券情報から駐車位置を取得する情報判別手段と、
この情報判別手段によって得られた駐車位置を上記乗場で待機する利用者に案内する案内手段と
を具備したことを特徴とするエレベータの駐車案内システム。
【請求項２】
上記駐車券は、非接触ＩＣカードからなり、
上記情報読取り手段は、上記駐車券に記録された情報を非接触で読み取ることを特徴とする請求項１記載のエレベータの駐車案内システム。
【請求項３】
上記案内手段は、上記駐車位置を音声にて案内することを特徴とする請求項１記載のエレベータの駐車案内システム。
【請求項４】
上記案内手段は、上記駐車位置を示した地図を表示することを特徴とする請求項１記載のエレベータの駐車案内システム。
【請求項５】
上記情報読取り手段によって読み取られた駐車券情報に基づいて駐車料金を算出する駐車料金算出手段を備え、
上記案内手段は、上記駐車料金算出手段によって算出された駐車料金を上記乗場で待機する利用者に案内することを特徴とする請求項１記載のエレベータの駐車案内システム。
【請求項６】
上記乗場で呼びボタンが操作されたときに、上記情報判別手段によって判別された駐車位置に対応した行先階を登録する行先階登録手段を備えたことを特徴とする請求項１記載のエレベータの駐車案内システム。
【発明の詳細な説明】
【技術分野】
【０００１】
本発明は、多重構造駐車施設あるいはこれに付設するデパート等の商業複合施設などに用いられるエレベータの駐車案内システムに関する。
【背景技術】
【０００２】
エレベータと駐車場とを融合させたシステムとして、立体駐車場用エレベータがある。この立体駐車場用エレベータでは、通常、入庫時に発券される駐車券にパレットナンバーを記録しておき、出庫時にこの駐車券を用いて駐車料金を精算した際に、その駐車券に記録されたパレットナンバーを表示する。さらに、入庫時に車両のナンバープレートを読み取って、出庫時にそのナンバープレートを表示する機能を備えたものもある（例えば、特許文献１参照）。
【特許文献１】特開平８−２８４４５４号公報
【発明の開示】
【発明が解決しようとする課題】
【０００３】
上述したような立体駐車場用エレベータは、車両を駐車させるためのエレベータであって、利用者が直接車両の駐車場所に向かうために利用されるものではない。一方、例えばデパートなどの施設では、複数階からなる多重構造駐車施設を備えていることが多く、利用者はその駐車施設の任意の階に車両を駐車してからショッピングなどに行くことができる。このような施設では、エレベータが欠かせない交通機関として設置されている。
【０００４】
ところが、駐車施設が多重構造であるために、ショッピングなどを済ませて利用者が車両を駐めた場所に戻るときに、駐車階などを間違えたり、迷ってしまうことがある。この場合、入庫時に発券される駐車券には、通常、入庫時間くらいしか記録されていないため、駐車場所を知る手がかりにはならない。
【０００５】
本発明は上記のような点に鑑みなされたもので、利用者が車両を駐めた場所を容易に把握でき、迷うことなく、その場所に戻ることのできるエレベータの駐車案内システムを提供することを目的とする。
【課題を解決するための手段】
【０００６】
本発明は、駐車施設に設けられたエレベータの駐車案内システムであって、上記駐車施設内で発券される駐車券に車両の駐車位置を記録する記録手段と、エレベータの乗場にて上記駐車券に記録された情報を読み取る情報読取り手段と、この情報読取り手段によって読み取られた駐車券情報から駐車位置を取得する情報判別手段と、この情報判別手段によって得られた駐車位置を上記乗場で待機する利用者に案内する案内手段とを具備して構成される。
【０００７】
このような構成によれば、エレベータの乗場にて駐車券に記録された情報を読み取らせることで、利用者の駐車位置が案内されるので、その案内に従って迷うことなく戻ることができる。
【発明の効果】
【０００８】
本発明によれば、エレベータの乗場にて、利用者が車両を駐めた場所を容易に把握でき、迷うことなく、その場所に戻ることができる。
【発明を実施するための最良の形態】
【０００９】
以下、図面を参照して本発明の実施形態を説明する。
【００１０】
図１は本発明の一実施形態に係るエレベータの駐車案内システムに適用される駐車施設の一例を示す図である。本システムは、複数の階からなる多重階層駐車施設に用いられる。図１の例では、ある階（ここでは１０Ｆ）の駐車施設の様子を示している。なお、他の階も同様の駐車施設が設けられている。この場合、ビルの全ての階が駐車施設であっても良いし、その一部が駐車施設となっているような構造であっても良い。
【００１１】
図中の１１は発券機であり、駐車施設１０の出入り口に設置されている。この発券機１１は、入庫時間を記録した駐車券１２を発行する。駐車券１２は、非接触ＩＣカードからなる。非接触ＩＣカードとは、電力供給やデータ伝送のための接点を持たないＩＣカードである。この非接触ＩＣカードの処理に必要な電力は、リーダ／ライタが発する電磁波をカード内に張り巡らされているアンテナで受け取って発生する。また、データ伝送もそのアンテナを用いて電磁波によって行われる。
【００１２】
利用者はこの発券機１１によって発行された駐車券１２を受け取って、駐車施設１０内の空いている駐車エリア１３に車両１５を駐車する。駐車施設１０内には多数の駐車エリア１３が設けられており、それぞれの駐車エリア１３には駐車券１２に駐車位置を記録するための記録装置１４が設置されている。駐車エリア１３に車両１５を駐車した際に、その駐車エリア１３に設置された記録装置１４に駐車券１２をかざすと、当該駐車エリア１３の番号が駐車位置情報として駐車券１２に記録される。図１の例では、「１０ＦのＡ−５」といった駐車位置情報が記録されることになる。
【００１３】
また、駐車施設１０内にはエレベータの乗場１６が設けられている。利用者は、この乗場１６に到着するエレベータ（乗りかご）に乗って外に出たり、あるいは、駐車施設１０に付設された別の施設の階（例えばデパートであれば、商品の売り場階）に行くことができる。
【００１４】
次に、乗場１６に設置された乗場表示装置１７について説明する。
【００１５】
図２は乗場表示装置１７の外観構成を示す図であり、乗場壁面２０に取り付けられた状態を示している。
【００１６】
この乗場表示装置１７は、樹脂または金属製のフェイスプレート２１を有し、そのフェイスプレート２１上に方向灯兼用の呼びボタン２２と情報読取り部２３と音声出力部２４が配設されている。
【００１７】
呼びボタン２２は、乗場にてエレベータ（乗りかご）を呼ぶための操作ボタンである。情報読取り部２３は、駐車券１２に記録された情報を読み取る。上述したように、駐車券１２は非接触ＩＣカードからなり、情報読取り部２３はその非接触ＩＣカードの情報を非接触にて読み取るためのリーダライタからなる。この情報読取り部２３のセンサ面２３ａに駐車券１２を近づけると、電磁波により非接触で情報の読取りがなされる。音声出力部２４は、スピーカからなり、駐車位置を含む案内を音声にて行う。
【００１８】
図３乃至図５に乗場表示装置１７の情報読取り部２３の取付け構造の一例を示す。フェイスプレート２１が樹脂で形成されている場合には、図３に示すように、フェイスプレート２１の裏面に設けられた爪部３１に情報読取り部２３を引っかけて固定し、情報読取り部２３のセンサ面２３ａをフェイスプレート２１の表面に露出させる。
【００１９】
また、フェイスプレート２１が金属製である場合には、フェイスプレート２１の裏面にスタッド３２またはタップ加工を施したものに、情報読取り部２３に形成された取付け穴３３を合わせて、平座金３４とバネ座金３５とナット３６で締め付けることでも良い。あるいは、図５に示すように、スタッド３２が取り付けられた金属製の部材３７を用い、この部材３７を接着剤３８でフェイスプレート２１の裏面に貼り付け、スタッド３２を情報読取り部２３の取付け穴３３を合わせて、平座金３４とバネ座金３５とナット３６で締め付けることでも良い。
【００２０】
このような構成の乗場表示装置１７において、通常は、呼びボタン２２の押下によりエレベータを呼ぶだけのために使用されるが、乗りかごが到着するまでの間、ある程度の待ち時間が生じる。この待ち時間を利用して、利用者が駐車施設１０で受け取った駐車券１２を乗場表示装置１７の情報読取り部２３にかざすと、駐車券１２に記録された情報が非接触で読み取られ、音声出力部２４を通じて入庫時間、駐車位置などが音声にて案内される。
【００２１】
次に、システム構成について説明する。
【００２２】
図６はエレベータの駐車案内システムの構成を示すブロック図である。このエレベータの駐車案内システムは、駐車場システムとエレベータシステムとを融合させたものであり、上述した駐車券１２と乗場表示装置１７の他に、エレベータ制御装置４１と乗りかご４５、そして、駐車料金精算システム４７を備える。
【００２３】
駐車券１２は、図１に示した駐車施設１０内に設けられた発券機１１によって発行されたものであり、入庫時間および駐車位置が記録されている。入庫時間は発券機１１によって駐車券１２を発行するときに自動的に記録され、駐車位置は駐車施設１０内の駐車エリア１３に車両１５を入れたときに、そこに設置された記録装置１４によって記録される。なお、入庫時間および駐車位置をこの記録装置１４にて記録することでも良い。
【００２４】
乗場表示装置１７は、エレベータの乗場１６に設置されており、図２に示したように呼びボタン２２、情報読取り部２３、音声出力部２４を備える。この乗場表示装置１７は、伝送ケーブルを介してエレベータ制御装置４１に接続されている。
【００２５】
エレベータ制御装置４１は、例えばビル最上部の機械室などに設置されており、ＣＰＵ、ＲＯＭ、ＲＡＭなどを搭載したコンピュータからなり、プログラムに従ってエレベータの運転制御を行う。このエレベータ制御装置４１は、割当て制御部４２、情報判別部４３、行先階登録部４４を備える。
【００２６】
割当て制御部４２は、呼びボタン２２の押下により乗場呼びがあったときに、その呼びのあった階床に乗りかご４５を応答させるための処理を行う。情報判別部４３は、情報読取り部２３から送られてきた駐車券情報を判別して入庫時間と駐車位置を取得する。行先階登録部４４は、情報判別部４３によって得られた駐車位置に基づいて、乗りかご４５の行先階を登録する。
【００２７】
乗りかご４５は、利用者を乗せて図１に示した駐車施設１０を含む各階床間を移動する。この乗りかご４５には、各階の行先階ボタン４６が設けられている。乗りかご４５内の利用者が行先階ボタン４６を押下して行先階を登録すると、その行先階ボタン４６が点灯して登録済みであることが明示される。この場合、上記行先階登録部４４によって駐車位置に対応した行先階が登録されると、該当する行先階ボタン４６が点灯表示されることになる。
【００２８】
駐車料金精算システム４７は、駐車料金の管理用のコンピュータからなり、エレベータ制御装置４１と接続されている。この駐車料金精算システム４７は、エレベータ制御装置４１から転送された入庫時間を受信し、その入庫時間から現在時間までの利用時間に応じた駐車料金をエレベータ制御装置４１に返信する。
【００２９】
次に、同実施形態の動作を説明する。  
図７はエレベータの駐車案内システムの動作を説明するためのフローチャートである。今、利用者がエレベータを利用して自分の車両１５を駐めた駐車エリア１３に戻る場合を想定する。利用者は、駐車施設１０内で発行された駐車券１２を持つ。
【００３０】
各階の乗場には、図２のような乗場表示装置１７が設置されている。利用者がある階の乗場に設置された乗場表示装置１７の情報読取り部２３に駐車券１２を近づけると、その駐車券１２に記録されている情報が非接触で読み取られ、エレベータ制御装置４１に転送される（ステップＳ１１）。
【００３１】
エレベータ制御装置４１では、まず、情報判別部４３にて上記駐車券１２の情報から入庫時間および駐車位置を取得し（ステップＳ１２）、これらの情報を乗場表示装置１７の音声出力部２４に出力する。これにより、例えば「お客様の入庫時間は１７：００、駐車位置は１０ＦのＡ−５番です」といったように、乗場で待機する利用者に対し、その利用者の入庫時間および駐車位置が音声案内される（ステップＳ１３）。
【００３２】
また、エレベータ制御装置４１は、上記駐車券情報から取得した入庫時間を駐車料金精算システム４７に転送することにより駐車料金を算出し（ステップＳ１４）、その駐車料金を乗場表示装置１７の音声出力部２４に出力する。これにより、例えば「お客様のただいまの駐車料金は５００円です」といったように、乗場で待機する利用者に対し、現在の駐車料金が音声案内される（ステップＳ１５）。
【００３３】
また、呼びボタン２２が押下された場合には（ステップＳ１６のＹｅｓ）、エレベータ制御装置４１は、割当て制御部４２により乗りかご４５を乗場呼びのあった階床に応答させる（ステップＳ１７）。その際、エレベータ制御装置４１は、上記駐車券情報から取得した駐車位置を行先階登録部４４に与えて、その駐車位置に対応した行先階を登録し（ステップＳ１８）、乗りかご４５内に設けられた各階の行先階ボタン４６の中の上記行先階に対応したボタンを点灯表示する（ステップＳ１９）。図１の例で言えば、１０Ｆが行先階登録されることになる。
【００３４】
このように、ある階の乗場にて、エレベータを待っている間に、駐車券１２をそこに設置されている乗場表示装置１７の情報読取り部２３にかざすだけで、入庫時刻と駐車位置、さらに、駐車料金が音声で案内される。したがって、利用者がショッピングなどを済ませて駐車場所に戻るときに、どこに車両１５を駐車したのかを忘れてしまった場合でも、その音声案内を聞くことにより、迷うことなく戻ることができる。
【００３５】
また、駐車料金についても音声案内されるので、事前にお金を用意しておくことができ、駐車施設１０を出るときにスムーズに支払うことができる。
【００３６】
また、このときに呼びボタン２２を押せば、利用者の駐車階が行先階として自動的に登録される。したがって、利用者が乗場に到着した乗りかご４５に乗り込んだときに、ボタン操作により行先階を登録する手間が省け、そのまま目的とする場所、つまり駐車階まで行くことができて便利である。
【００３７】
なお、上記実施形態では、乗場表示装置１７に設けられた音声出力部２４を通じて音声で案内する構成としたが、その案内手段としては音声に限らず、表示であっても良いし、音声と表示の両方を用いて案内することでも良い。
【００３８】
図８および図９に乗場表示装置１７に表示部２５を備えた場合のシステム構成と外観構成を示す。この表示部２５は、例えば液晶表示装置からなり、上述した入庫時刻と駐車位置、さらに、駐車料金を文字情報にて表示する。この場合、駐車位置を視覚的に知らしめるために、利用者の駐車位置を示した地図を表示するようにしても良い。
【００３９】
具体的には、エレベータ制御装置４１が各階の駐車施設１０の地図を持ち、駐車券１２から読み取った情報から駐車位置を判別した際に、その駐車位置を含む地図を取り出し、その地図上に駐車位置をマーキングするといった処理を行うことで実現する。
【００４０】
図１０に表示例を示す。図中の５１は入庫時刻、駐車位置、駐車料金の案内表示である。また、５２と５３は駐車位置を示す地図である。地図５２はビル全体の中の駐車階、地図５３はその駐車階の様子を表している。このような地図を表示することにより、駐車位置を視覚的に把握することができ、誰でも迷うことなく、自分の駐めた場所に戻ることができる。
【００４１】
なお、上記実施形態では、駐車券１２として非接触型のＩＣカードを例にしたが、接触型のＩＣカードで構成しても良いし、磁気カード等の他のカードを用いることであっても良い。
【００４２】
また、利用者の入庫時刻、駐車位置、駐車料金といった駐車施設に関係する情報の他に、例えばデパートであれば、催し物の開催日などの広告情報など一緒に案内するようにしても良い。
【００４３】
要するに、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の形態を形成できる。例えば、実施形態に示される全構成要素から幾つかの構成要素を省略してもよい。さらに、異なる実施形態にわたる構成要素を適宜組み合わせてもよい。
【図面の簡単な説明】
【００４４】
【図１】図１は本発明の一実施形態に係るエレベータの駐車案内システムに適用される駐車施設の一例を示す図である。
【図２】図２は同実施形態における乗場表示装置の外観構成を示す図である。
【図３】図３は同実施形態における乗場表示装置の情報読取り部の取付け構造の一例を示す図である。
【図４】図４は同実施形態における乗場表示装置の情報読取り部の取付け構造の一例を示す図である。
【図５】図５は同実施形態における乗場表示装置の情報読取り部の取付け構造の一例を示す図である。
【図６】図６は同実施形態におけるエレベータの駐車案内システムの構成を示すブロック図である。
【図７】図７は同実施形態におけるエレベータの駐車案内システムの動作を説明するためのフローチャートである。
【図８】図８は同実施形態における乗場表示装置に表示部を備えた場合のシステム構成を示すブロック図である。
【図９】図９は同実施形態における乗場表示装置に表示部を備えた場合の外観構成を示す図である。
【図１０】図１０は同実施形態における乗場表示装置に表示部を備えた場合の表示例を示す図である。
【符号の説明】
【００４５】
１０…駐車施設、１１…発券機、１２…駐車券、１３…駐車エリア、１４…記録装置、１５…車両、１６…エレベータの乗場、１７…乗場表示装置、２０…乗場壁面、２１…フェイスプレート、２２…呼びボタン、２３…情報読取り部、２３ａ…センサ面、２４…音声出力部、２５…表示部、３１…爪部、３２…スタッド、３３…取付け穴、３４…平座金、３５…バネ座金、３６…ナット、３７…金属製部材、４１…エレベータ制御装置、４２…割当て制御部、４３…情報判別部、４４…行先階登録部、４５…乗りかご、４６…行先階ボタン、４７…駐車料金精算システム。
【図１】
2007084190.tif 000003
【図２】
2007084190.tif 000004
【図３】
2007084190.tif 000005
【図４】
2007084190.tif 000006
【図５】
2007084190.tif 000007
【図６】
2007084190.tif 000008
【図７】
2007084190.tif 000009
【図８】
2007084190.tif 000010
【図９】
2007084190.tif 000011
【図１０】
2007084190.tif 000012